(57)【要約】【課題】中温水の発生を抑制できる貯湯タンクを備えた給湯機を提供する。【解決手段】タンク本体１１ａの底部に配され、水道水を給水する給水管１４が接続される入水口１１ｂと、前記入水口１１ｂの略上方に設けられたバッフル板１８と、前記タンク本体１１ａの内壁の、前記バッフル１８より上方に位置し、内方に向かって突出する突起部１７とを有するもので、中温水の発生を抑制し、効率の良い沸き上げ運転が実現できるものである。【選択図】図２
2008309389.tif 000002
【特許請求の範囲】
【請求項１】
タンク本体の底部に配され、水道水を給水する給水管が接続される入水口と、前記入水口の略上方に設けられたバッフル板と、前記タンク本体の内壁の、前記バッフルより上方に位置し、内方に向かって突出する突起部とを有する貯湯タンク。
【請求項２】
バッフル板及び突起部により、入水口から流入した水とタンク内の高温の湯との混合を抑制するようにした請求項１に記載の貯湯タンク。
【請求項３】
タンク本体を、上側のタンク上部と、下側のタンク下部とで構成し、前記タンク下部の上端を面上に内方へ折りかえして突起部を形成するようにした請求項１または２に記載の貯湯タンク。
【請求項４】
請求項１から３のいずれか１項に記載の貯湯タンクと、圧縮機を有するヒートポンプ回路と、前記ヒートポンプ回路を流れる冷媒と水を熱交換させる熱交換器とを備え、前記貯湯タンクの下部から取り出した水を前記熱交換器に供給し、加熱されて得られた湯を前記タンク本体の上方へ供給するようにしたヒートポンプ給湯器。
【発明の詳細な説明】
【技術分野】
【０００１】
本発明は、貯湯タンク及びそれを用いたヒートポンプ給湯器に関するものである。
【背景技術】
【０００２】
従来、この種の貯湯タンクにおいては、貯湯タンク内に水道水を供給する給水管との接続箇所にある入水口に対向するようにしてバッフルが設けられていた（例えば、特許文献１参照）。
【０００３】
図３は、上記特許文献１に記載された従来の貯湯タンクを備えた給湯器の概略断面図である。
【０００４】
図３において、従来の貯湯タンクを備えた給湯器は、高温湯水と低温湯水とを貯える貯湯タンク１と、前記貯湯タンク１の下部に設けた入水口７に接続され、水道水を供給する給水管２と、前記貯湯タンク１内の湯水を加熱する加熱手段３と、前記貯湯タンク１の上部に設けられ高温湯水を吐出する給湯口６と、給湯口６に接続され高温湯水を端末に出湯する出湯管４と、入水口７に対向するようにして取り付けられたバッフル５を備えていた。
【特許文献１】特開平１−１０２２４４号公報
【発明の開示】
【発明が解決しようとする課題】
【０００５】
しかしながら、上記従来の貯湯タンク１の構成では、水道水が、貯湯タンク１内に供給される際に、貯湯タンク１内の高温の湯と低温の入水が混合して中間の温度帯の水（中温水）が発生していた。そして、中温水は、ヒートポンプ回路で加熱する際に、ＣＯＰ（熱効率）が低くなるので、効率の良い沸き上げ運転ができないという課題があった。
【０００６】
本発明は、前記従来の課題を解決するもので、中温水の発生を抑制し、効率の良い沸き上げ運転ができる貯湯タンクを提供することを目的とするものである。
【課題を解決するための手段】
【０００７】
前記従来の課題を解決するために、本発明の貯湯タンクは、タンク本体の底部に配され、水道水を給水する給水管が接続される入水口と、前記入水口の略上方に設けられたバッフル板と、前記タンク本体の内壁の、前記バッフルより上方に位置し、内方に向かって突出する突起部とを有するもので、中温水の発生を抑制し、効率の良い沸き上げ運転が実現できるものである。
【０００８】
また、本発明のヒートポンプ給湯器は、請求項１から３のいずれか１項に記載の貯湯タンクと、圧縮機を有するヒートポンプ回路と、前記ヒートポンプ回路を流れる冷媒と水を熱交換させる熱交換器とを備え、前記貯湯タンクの下部から取り出した水を前記熱交換器に供給し、加熱されて得られた湯を前記タンク本体の上方へ供給するようにしたもので、タンク本体内の高温の湯と低温の入水が混合して出来る中温水の発生を抑え、ヒートポンプ回路で加熱する際にＣＯＰ（熱効率）の低下がなく、効率の良い沸き上げ運転が実現できる。
【発明の効果】
【０００９】
本発明の貯湯タンク及びヒートポンプ給湯器は、中温水の発生を抑制し、効率の良い沸き上げ運転が実現できるものである。
【発明を実施するための最良の形態】
【００１０】
第１の発明は、タンク本体の底部に配され、水道水を給水する給水管が接続される入水口と、前記入水口の略上方に設けられたバッフル板と、前記タンク本体の内壁の、前記バッフルより上方に位置し、内方に向かって突出する突起部とを有するもので、中温水の発生を抑制し、効率の良い沸き上げ運転が実現できるものである。
【００１１】
第２の発明は、特に、第１の発明のバッフル板及び突起部により、入水口から流入した水とタンク内の高温の湯との混合を抑制するようにしたもので、入水口から流入した水をバッフル板により、タンク本体の内壁方向に拡散し更に突起部により、冷水の上昇が止められ、タンク本体内の高温の湯と冷水との混合を抑制できるものである。
【００１２】
第３の発明は、特に、第１または第２の発明のタンク本体を、上側のタンク上部と、下側のタンク下部とで構成し、前記タンク下部の上端を面上に内方へ折りかえして突起部を形成するようにしたもので、突起部を容易に形成できると共に、バッフル板により拡散しタンク本体の壁面に沿って上昇する冷水を、突起部で下方へ戻すことにより高温の湯との混合を抑制できるものである。  
【００１３】
第４の発明は、請求項１から３のいずれか１項に記載の貯湯タンクと、圧縮機を有するヒートポンプ回路と、前記ヒートポンプ回路を流れる冷媒と水を熱交換させる熱交換器とを備え、前記貯湯タンクの下部から取り出した水を前記熱交換器に供給し、加熱されて得られた湯を前記タンク本体の上方へ供給するようにしたもので、タンク本体内の高温の湯と低温の入水が混合して出来る中温水の発生を抑え、ヒートポンプ回路で加熱する際にＣＯＰ（熱効率）の低下がなく、効率の良い沸き上げ運転が実現できる。
【００１４】
以下、本発明の実施の形態について、図面を参照しながら説明する。なお、この実施の形態によって本発明が限定されるものではない。
【００１５】
（実施の形態１）
図１は、本発明の第1の実施の形態における貯湯タンクを接続したヒートポンプ給湯器の構成を示す図、図２は、同貯湯タンクの下部の断面図である。
【００１６】
図１、２において、本実施の形態における貯湯タンク１１のタンク本体１１ａの底部には、水道水を給水する給水管１４が接続される入水口１１ｂが設けられ、その入水口１１ｂの上方には、バッフル板１８が略水平に設けられている。タンク本体１１ａの内壁のバッフル板１８より上方に位置する部分には、内方に向かって突出する突起部１７が設けられている。
【００１７】
１０は、タンク本体１１ａ内の水を加熱するヒートポンプユニットで、圧縮機２０と熱交換器１６を有するヒートポンプ回路２１を備え、タンク本体１１ａ内の底部の水が循環ポンプ１５で熱交換器１６に送られ、それがヒートポンプ回路２１を流れる冷媒とで熱交換され、加熱されて得られた熱湯が、タンク本体１１ａの上部に供給されるようになっている。
【００１８】
次に、本実施の形態における貯湯タンク１１を接続したヒートポンプ給湯器による沸き上げの説明をする。
【００１９】
給水管１４により、水道水を貯湯タンク１１に給水し満水した後、貯湯タンク１１下部より冷水を循環ポンプ１４でヒートポンプユニット１０に送り、熱交換器１６でお湯に変換し、貯湯タンク１１の上部へ送り、その循環を繰り返し沸き上げを行う。
【００２０】
沸きあげ後、ミキシングバルブ１２で水とお湯を混合し給湯管１３より貯湯タンク１１の上部のお湯を使用すると、給水管１４より給水され再沸き上げが始まる。
【００２１】
本実施の形態では、給湯管１３を通してお湯を使うと、給水管１４から給水が始まるが、そのときバッフル板１８にて、給水された水が、タンク本体１１ａの側面方向へと拡散される。そして、冷水がタンク本体１１ａの側面を伝って上昇しようとするが、突起部１７により、その冷水の上昇が止められ再びタンク本体１１ａの下部へ戻される。
【００２２】
これによって、上部の高温層のお湯と給水による冷水とで発生する中温水を抑制することが出来、ヒートポンプ回路で加熱する際にＣＯＰ（熱効率）の低下がなく効率のよい沸き上げ運転が実現できる。
【００２３】
尚、特に図示しないが、タンク本体１１ａを、上側のタンク上部と、下側のタンク下部とで構成し、前記タンク下部の上端を面上に内方へ折りかえして突起部１７を形成するようにすれば、別部品を使用すること無く、突起部１７を容易に形成できるので、貯湯タンク１１を安価に形成することができる。
【産業上の利用可能性】
【００２４】
以上のように、本発明にかかる貯湯タンク及びその貯湯タンクを用いたヒートポンプ給湯器は、中温水の発生を抑制し、効率の良い沸き上げ運転が実現できるものである。
【図面の簡単な説明】
【００２５】
【図１】本発明の実施の形態１の貯湯タンクを接続したヒートポンプ給湯器の構成を示す図
【図２】同貯湯タンクの下部の断面図
【図３】従来の貯湯タンクの断面図
【符号の説明】
【００２６】
１０  ヒートポンプユニット
１１  貯湯タンク
１１ａ  タンク本体
１１ｂ  入水口
１２  ミキシングバルブ
１３  給湯管
１４  給水管
１５  循環ポンプ
１６  熱交換器
１７  突起部
１８  バッフル板
【図１】
2008309389.tif 000003
【図２】
2008309389.tif 000004
【図３】
2008309389.tif 000005